(57)【特許請求の範囲】
【請求項１】
遊技盤本体と、該遊技盤本体の表面に遊技領域を区画形成する区画部材と、を備えた遊技盤を前面枠に組み付けて使用する遊技機において、
前記前面枠には、前記遊技盤が収容される収容開口部を形成し、
該収容開口部の下縁には、前記遊技盤本体の下面を支持可能な盤支持部を設け、
前記区画部材の下縁を前記遊技盤本体よりも下方に延設した延設部を備え、
該延設部は、当該延設部を保護可能な保護カバーを取り付け可能であることを特徴とする遊技機。
【請求項２】
前記延設部は、前記保護カバーと遊嵌可能な切欠部を備えたことを特徴とする請求項１に記載の遊技機。
【請求項３】
前記遊技盤は、前記遊技盤本体の下方に領域区画補助具を備え、
前記区画部材は、前記遊技盤本体の表面と前記領域区画補助具の表面との間に跨って配置され、
前記遊技盤の下端には、前記球流下領域まで流下した遊技球を回収するアウト口を設け、
前記領域区画補助具には、前記アウト口の開口縁を装飾する飾り部と、前記アウト口に回収された遊技球を前記遊技盤本体の裏面側へ排出する球排出口と、を備えたことを特徴とする請求項２に記載の遊技機。
【請求項４】
前記収容開口部の下縁には前記盤支持部を複数突設し、
前記区画部材の下部には、前記盤支持部が遊嵌可能な区画側切欠部を複数形成し、該区画側切欠部の上縁部を前記遊技盤本体の下面よりも上方に位置させ、
前記盤支持部は、前記区画側切欠部に遊嵌した状態で前記遊技盤本体の下面を支持することを特徴とする請求項１から請求項３のいずれかに記載の遊技機。
【発明の詳細な説明】
【技術分野】
【０００１】
本発明は、遊技盤本体と、該遊技盤本体の表面に遊技領域を区画形成する区画部材と、を備えた遊技盤を前面枠に組み付けて使用するパチンコ遊技機等の遊技機に関する。
【背景技術】
【０００２】
従来の遊技機、例えば、パチンコ遊技機においては、前面枠の上側部分に遊技盤が収容される収容開口部（遊技盤装着部）を備え、遊技盤のベースとなる遊技盤本体の表面に区画部材を止着して略円形状の遊技領域を区画形成している。そして、遊技盤の下方にボード部を設けたり遊技盤の側方にスペーサ（遊技領域拡張部材）を設けたりして、遊技領域を従来の広さよりも拡大する旨が提案されている（例えば、特許文献１および特許文献２参照）。
【先行技術文献】
【特許文献】
【０００３】
【特許文献１】特開２００８−０１１９２０号公報
【特許文献２】特開２００２−０１８０６５号公報
【発明の概要】
【発明が解決しようとする課題】
【０００４】
ところで、いずれの上記特許文献においても、ボード部やスペーサを収容する空間部を前面枠内に確保する必要がある。したがって、遊技領域を拡大するためには、遊技盤だけではなく前面枠の設計をも変更しなければならない。また、ボード部やスペーサを収容する空間部が確保された前面枠にしか遊技領域が拡大された遊技盤を装着することができない。
【０００５】
さらに、ボード部やスペーサを設けて遊技領域を拡大すると、遊技盤本体とボード部やスペーサとの間の隙間や段差が遊技領域に露出したり、隙間や段差を隠す遮蔽部材を設けたことで新たに段差が発生したりしてしまい、この隙間や段差に遊技球が引っ掛かって遊技球の動きに影響を与えてしまう虞がある。
【０００６】
そこで、本発明は、上記の事情に鑑みてなされたものであり、その目的は、遊技盤本体の大きさを変えずに遊技領域を拡大することができる遊技機を提供しようとするものである。
【課題を解決するための手段】
【０００７】
本発明は、上記目的を達成するために提案されたものであり、請求項１に記載のものは、遊技盤本体と、該遊技盤本体の表面に遊技領域を区画形成する区画部材と、を備えた遊技盤を前面枠に組み付けて使用する遊技機において、
前記前面枠には、前記遊技盤が収容される収容開口部を形成し、
該収容開口部の下縁には、前記遊技盤本体の下面を支持可能な盤支持部を設け、
前記区画部材の下縁を前記遊技盤本体よりも下方に延設した延設部を備え、
該延設部は、当該延設部を保護可能な保護カバーを取り付け可能であることを特徴とする遊技機である。
【０００８】
請求項２に記載のものは、前記延設部は、前記保護カバーと遊嵌可能な切欠部を備えたことを特徴とする請求項１に記載の遊技機である。
【０００９】
請求項３に記載のものは、前記遊技盤は、前記遊技盤本体の下方に領域区画補助具を備え、
前記区画部材は、前記遊技盤本体の表面と前記領域区画補助具の表面との間に跨って配置され、
前記遊技盤の下端には、前記球流下領域まで流下した遊技球を回収するアウト口を設け、
前記領域区画補助具には、前記アウト口の開口縁を装飾する飾り部と、前記アウト口に回収された遊技球を前記遊技盤本体の裏面側へ排出する球排出口と、を備えたことを特徴とする請求項２に記載の遊技機である。
【００１０】
請求項４に記載のものは、前記収容開口部の下縁には前記盤支持部を複数突設し、
前記区画部材の下部には、前記盤支持部が遊嵌可能な区画側切欠部を複数形成し、該区画側切欠部の上縁部を前記遊技盤本体の下面よりも上方に位置させ、
前記盤支持部は、前記区画側切欠部に遊嵌した状態で前記遊技盤本体の下面を支持することを特徴とする請求項１から請求項３のいずれかに記載の遊技機である。
【発明の効果】
【００１１】
本発明によれば、以下のような優れた効果を奏する。
すなわち、遊技盤本体の大きさを変えずに遊技領域を拡大することができる。したがって、遊技領域を拡大したとしても、遊技盤が組み付けられる前面枠の設計を変更する必要がない。また、遊技領域内に隙間や段差を形成せずに遊技領域を拡大することができ、遊技領域を流下する遊技球の動きが隙間や段差に影響されてしまうことがない。
【図面の簡単な説明】
【００１５】
【図１】パチンコ遊技機の正面図である。
【図２】透明部材保持枠を開放して遊技盤を外したパチンコ遊技機の斜視図である。
【図３】遊技盤を装着した前面枠本体の斜視図である。
【図４】嵌合受部および軸受部の説明図であり、（ａ）は斜視図、（ｂ）は盤固定部材を軸受部に支持した状態の斜視図である。
【図５】遊技盤の分解斜視図である。
【図６】遊技盤の下部の斜視図であり、（ａ）は前方から見た斜視図、（ｂ）は後方から見た斜視図である。
【図７】盤支持部に支持された遊技盤の下部の概略図である。
【図８】領域区画補助具の斜視図である。
【図９】アウト口の断面図である。
【図１０】領域区画補助具の補助係合片の説明図であり、（ａ）は区画部材と領域区画補助具とを離間させた分解斜視図、（ｂ）は遊技盤本体と区画部材との間に挟まれた補助係合片の断面図である。
【図１１】盤固定部材の説明図であり、（ａ）は斜視図、（ｂ）は遊技盤装着部に軸着した状態の断面図である。
【図１２】盤固定部材で遊技盤を固定する動作の説明図であり、（ａ）は嵌合受部に嵌合突部を嵌合する前の状態図、（ｂ）は嵌合受部に嵌合突部を嵌合した状態で盤固定部材を盤固定状態に変換する前の状態図である。
【図１３】遊技盤の下部と盤保護カバーとの説明図であり、（ａ）は盤保護カバーを外した状態の斜視図、（ｂ）は盤保護カバーを取り付けた状態の前方から見た断面図、（ｃ）は側方から見た断面図である。
【図１４】盤固定部材により固定可能な領域区画補助具の説明図であり、（ａ）は後方から見た斜視図、（ｂ）は前方から見た斜視図である。
【図１５】ファール球処理弁で空間部の空間開口を閉成した状態の説明図であり、（ａ）は斜視図、（ｂ）は断面図である。
【図１６】（ａ）はファール球処理弁を備えた第１区画部材の斜視図、（ｂ）はファール球処理弁の斜視図である。
【発明を実施するための形態】
【００１６】
以下、代表的な遊技機であるパチンコ遊技機を例に挙げて本発明の実施の形態を図面に基づき説明する。
パチンコ遊技機１は、図１および図２に示すように、矩形状の機枠（外枠）２に前面枠（内枠）３を開閉可能な状態で軸着し、該前面枠３のベースとなる前面枠本体４の前面側（表面側）には、円形状の遊技領域５が前面に区画形成された遊技盤６を着脱可能とし、該遊技盤６のうち遊技領域５の側方（図２中、左側方）には円弧状の発射通路７を備えている。また、前面枠本体４の前面のうち発射通路７寄りに位置する一側（図１中、左側）には透明部材保持枠９を開閉可能な状態で軸着し、該透明部材保持枠９の上寄りの位置には透視可能な透明部材１０を保持し、透明部材保持枠９の下部の前面には、遊技球を貯留可能な上皿１１を備えている。そして、透明部材保持枠９を閉じて前面枠本体４の前方に透明部材保持枠９を重合すると、遊技盤６の前面が透明部材保持枠９により被覆されるとともに、透明部材１０が遊技領域５の前方に配置され、透明部材１０を通して遊技領域５を前方から視認できるように構成されている。また、前面枠本体４のうち透明部材保持枠９の下方に位置する下部には下皿ユニット１２を備え、該下皿ユニット１２の左右方向の中央部にはスピーカー１３を備え、該スピーカー１３の左側方（言い換えると、透明部材保持枠９の軸着側に位置する左側方）には下皿１４を備えて上皿１１の下方（詳しくは直下）に位置させ、スピーカー１３の右側方（言い換えると、透明部材保持枠９の開放側に位置する右側方）、発射装置１５（図２および図３参照）を操作するための発射操作ユニット（発射操作ハンドル）１６を備えている。
【００１７】
前面枠本体４は、大きな矩形状の開口を上寄りに開設した合成樹脂製枠体であり、図２および図３に示すように、矩形状の収容開口部２０ａが前方に向けて開放された額縁状の遊技盤装着部（遊技盤収容フレーム）２０を備え、該遊技盤装着部２０内（収容開口部２０ａ内）に遊技盤６を着脱可能な状態で装着（収容）している。また、遊技盤装着部２０の下方にはフレームボード部２１を備え、該フレームボード部２１の上縁部を収容開口部２０ａの下縁部に位置させている。
【００１８】
遊技盤装着部２０は、透明部材保持枠９の軸着側（図２中、左側）に軸着側壁部２３を備えるとともに、軸着側とは反対の開放側（図２中、右側）に開放側壁部２４を備えている。さらに、軸着側壁部２３の上端部と開放側壁部２４の上端部とを接続する状態で上側壁部２５を備え、各側壁部２３，２４，２５の後縁（すなわち遊技盤装着部２０の後部）から内側に向かって背面壁部２６を延在させている。また、図３に示すように、軸着側壁部２３には、遊技盤６の一側部（図２中、左側部）を表面側（前方）から係合可能な盤係合片２８を上下２箇所に設け、背面壁部２６のうち開放側壁部２４側に位置する上下２箇所には、前面枠本体４の前方へ向けて突出する円筒状の軸受部２９を断面円形状の軸孔２９ａが前面枠本体４の前後方向（表裏方向）に貫通する状態で備えている（図４（ａ）参照）。そして、各軸受部２９には、遊技盤６の他側部（図３中、右側部）を前方から押圧可能な盤固定部材３０を回動可能な状態で軸着し、遊技盤装着部２０に装着された遊技盤６を盤固定部材３０の回動操作により固定可能としている。また、軸受部２９よりも上方且つ遊技盤装着部２０の中央寄りの位置には、前面枠本体４の前方へ向けて突出する筒状の嵌合受部３１を断面縦長穴状の嵌合開口３１ａが前面枠本体４の前後方向（表裏方向）に貫通する状態で備えている。なお、盤固定部材３０およびその周辺の構造については、後で詳細に説明する。
【００１９】
フレームボード部２１は、図２および図３に示すように、当該フレームボード部２１の上端（収容開口部２０ａの下縁）の左右両側に、遊技盤６の下部を支持可能な複数（本実施形態では２つ）の盤支持部３４を上方の遊技盤装着部２０側ヘ向けて突設しており、この結果、フレームボード部２１のうち両盤支持部３４の間に位置する部分、および透明部材保持枠９の開放側の盤支持部３４の側方（図２中、右側の盤支持部３４の右側方）に位置する部分が下方へ凹んだ状態に設定されている。さらに、フレームボード部２１の前面の一側寄り、詳しくはフレームボード部２１の前面のうち発射通路７寄り（図３中、左寄り）の位置には、遊技球を賞球または貸球として排出する球払出口３５を開設し、透明部材保持枠９を閉じた状態で球払出口３５を上皿１１へ連通し、遊技球が球払出口３５から排出されて上皿１１へ流入するように構成されている。そして、フレームボード部２１の前面の他側寄り、詳しくはフレームボード部２１の前面のうち透明部材保持枠９の開放側（図３中、右側）には、遊技盤６よりも下方の位置から遊技球を遊技領域５へ向けて発射可能な発射装置１５を備え、該発射装置１５の下部に設定された球発射位置Ｓから遊技球を発射杵１５ａで弾発するように構成されている。また、発射装置１５の下部には発射レール３４を球発射位置Ｓから遊技盤６の発射通路７の下端へ向けて上り傾斜する延在姿勢で備え、発射装置１５から発射される遊技球を発射レール３６により遊技盤６側へ向けて斜め上方へ誘導可能としている。
【００２０】
さらに、フレームボード部２１の前面のうち球払出口３５と発射装置１５との間に位置する中央部分には、回収路形成パネル３８を止着してファール球回収路３９を区画形成し、該ファール球回収路３９の入口となるファール球回収口３９ａを発射装置１５と発射通路７の下端との間、言い換えると発射レール３６の傾斜上端よりも発射通路７側に開設して、ファール球（発射装置１５から発射されて発射通路７内を飛翔したが遊技領域５に進入せずに逆流して発射装置１５側へ戻ってくる遊技球）をファール球回収口３９ａへ回収可能としている。また、ファール球回収路３９の下流端（出口）を下皿１４へ連通して、ファール球をファール球回収路３９へ通して下皿１４へ導出できるように構成されている。
【００２１】
次に、遊技盤６について説明する。
遊技盤装着部２０（前面枠３）に前方から組み付けられる遊技盤６は、図３，図５に示すように、合板やプラスチックなどにより形成される矩形板状の遊技盤本体４１を備え、該遊技盤本体４１の下面（下縁部）の左右両側を盤支持部３４の上面で支持可能としている。また、遊技盤本体４１の表面の周縁部には左右に分割された区画部材４２（詳しくは、透明部材保持枠９の軸着側（図３中、左側）に位置する第１区画部材４３、および透明部材保持枠９の開放側（図３中、右側）に位置する第２区画部材４４）をビス等の止着具４５（図１０（ｂ）参照）で止着して略円形の遊技領域５を区画形成し、遊技領域５内には表示装置や入賞口等の役物（図示せず）を配置している。さらに、遊技盤６の下端のうち第１区画部材４３と第２区画部材４４との間には、役物へ入賞せずに遊技領域５を流下した遊技球を回収するアウト口４６を設けている。なお、アウト口４６の構成については、後で詳細に説明する。
【００２２】
また、第１区画部材４３には、内レール５０を遊技領域５の側縁（左側縁）に沿って縦向き円弧状に延設するとともに、外レール５１を内レール５０から遊技領域５とは反対側に離間して縦長円弧状に延設し、内レール５０と外レール５１との間に縦向き円弧状の発射通路７を区画形成している。そして、内レール５０の下部のうち遊技領域５側に向いた箇所には、遊技球の内レール５０への衝突を防ぐレールカバー５２を装着している。また、外レール５１には、図３に示すように、区画部材４２から立設された円弧状の発射球案内壁部５１ａと、該発射球案内壁部５１ａの円弧内壁面（発射通路７側に位置する内壁面）に添設した帯状金属板製のガイドレール５１ｂとを備え、遊技球がガイドレール５１ｂ上を摺動しながら発射通路７内を飛翔（上昇）するように構成されている。さらに、発射通路７の入口７ａとなる下端を開放して下方の発射レール３６側へ向けて開放し、発射通路７が遊技球（発射レール３６により斜め上方へ誘導されてきた遊技球）を下方から受け入れるように構成されている。そして、第１区画部材４３のうち発射通路７を挟んで遊技領域５とは反対側（図５中、左側）には、盤係合片２８が引っ掛かる盤係合受部５４を形成している。
【００２３】
さらに、図５に示すように、遊技盤本体４１の縁部、詳しくは遊技盤本体４１のうち透明部材保持枠９の開放側（図５中、右側）に位置する側縁部の上下両側を切り欠いて盤本体切欠部５５を形成し、第２区画部材４４のうち盤本体切欠部５５に重合する平板箇所を盤固定受部５６としている。そして、図６（ｂ）に示すように、該盤固定受部５６の裏面のうち盤本体切欠部５５から臨ませた箇所には、嵌合受部３１に遊技盤装着部２０の前方から嵌合可能となる縦長な嵌合突部５７を遊技盤本体４１側へ向けて突設し、該嵌合突部５７の下方には当接部５８を側面が開放側壁部２４側を向いて露出する状態で備えている。また、図５および図６（ａ）に示すように、盤固定受部５６の表面には平面状の押圧受部５９を形成し、第２区画部材４４の下側に位置する押圧受部５９の上方には、遊技進行に関する表示を行う表示ユニット６０を備えている。なお、押圧受部５９については、後で詳細に説明する。
【００２４】
そして、遊技盤６は、図６（ａ），図７，図９に示すように、区画部材４２の下縁を遊技盤本体４１（詳しくは遊技盤本体４１の下面）よりも下方に延設して、区画部材４２の下部のうち左右方向の中央部分（言い換えると、第１区画部材４３の下部と第２区画部材４４の下部との間）に、遊技領域５の下端に連続するが遊技盤本体４１による裏打ちのない、すなわち、遊技盤本体４１を区画部材４２の裏側から当てがって補強することなくただ単に区画部材４２を下方まで延ばすことによって、球流下領域６３を遊技盤本体４１の下面から下方にはみ出した状態で形成している。また、区画部材４２の下部のうち遊技盤本体４１の下面よりも下方にはみ出した箇所には、盤支持部３４が遊嵌可能な区画側切欠部６４を盤支持部３４の位置に合わせて複数（本実施形態では２つ）形成し、該区画側切欠部６４の上縁部を遊技盤本体４１の下面よりも上方に位置させている。
【００２５】
さらに、遊技盤本体４１の下方には、遊技盤本体４１の左右方向に沿って横長な領域区画補助具６６を備え、該領域区画補助具６６の表面と遊技盤本体４１の表面とが同一平面上に位置させ、区画部材４２の下部を領域区画補助具６６の表面と遊技盤本体４１の表面との間に跨いて配置している。また、領域区画補助具６６のうち球流下領域６３の後方（遊技盤本体４１側）に位置する箇所にはアウト口４６を備え、球流下領域６３まで流下した遊技球をアウト口４６に回収するように構成されている。具体的に説明すると、図８および図９に示すように、領域区画補助具６６のうち左右方向の途中には、遊技球が内部を通過可能な球排出樋６８を備え、該球排出樋６８内には遊技盤本体４１の表側から裏側へ向けて下り傾斜する球排出口６８ａを貫通し、アウト口４６に回収された遊技球を球排出口６８ａに通して遊技盤本体４１の裏面側へ排出可能としている。そして、球排出樋６８のうち遊技盤本体４１の表側に位置する前端部分の上縁部および左右両側縁部には、アウト口４６の開口縁を装飾するフランジ状の飾り部６９を外方へ向けて延設し、該飾り部６９を遊技盤本体４１の表面にビスなどの止着具（図示せず）で止着している。また、球排出樋６８の前端部分の下縁部には、舌片状のアウト球受部７０を前方の球流下領域６３へ向けて延設するとともに球流下領域６３側から球排出口６８ａ側へ向けて下り傾斜させ、球流下領域６３に到達した遊技球がアウト球受部７０上を転動して球排出口６８ａ内に誘導されるように構成されている。
【００２６】
なお、遊技盤本体４１の下部には、球排出樋６８の上部が進入可能なアウト切欠部７１を切り欠いて形成し、遊技盤本体４１の下部と球排出樋６８の上部とが干渉することを避けている。また、領域区画補助具６６の下面のうち遊技盤６の裏側に位置する縁部（後縁部）には面取り加工を施しており、遊技盤６を遊技盤装着部２０内へ前方から挿入しようとする際に、領域区画補助具６６の後縁部がフレームボード部２１の上端に引っ掛かってしまう不都合、ひいては遊技盤６の装着作業が滞ってしまう不都合をなくすように構成されている。
【００２７】
さらに、領域区画補助具６６の表面の左右両側部には、区画部材４２に係合する平板状の補助係合片７３を上方の遊技盤本体４１側へ向けて延設し、該補助係合片７３には、遊技盤６の表裏方向に貫通する補助貫通孔７４を開設している。また、図１０に示すように、区画部材４２の裏面のうち補助係合片７３が重合する箇所には、区画側係合受部７５を区画部材４２の表側へ向けて凹ませて形成し、該区画側係合受部７５内には、補助貫通孔７４に嵌合する区画側凸部７６を後方の遊技盤本体４１側へ向けて突設し、区画側凸部７６のうち遊技盤本体４１側に向いた突出端面を区画部材４２の裏面と同一平面上に位置させている。そして、区画側係合受部７５に補助係合片７３を係合するとともに補助貫通孔７４に区画側凸部７６を嵌合し、この状態で区画部材４２を遊技盤本体４１の表面に止着して、領域区画補助具６６の左右両側を遊技盤６に係合している。なお、区画側係合受部７５は、図１０（ｂ）に示すように、補助係合片７３の厚さ（遊技盤６の表裏方向に沿った寸法）ｔよりも深い寸法ｄで凹ませて形成されており、このため、区画部材４２および区画側凸部７６が遊技盤本体４１の表面に密着せずに浮いてしまうことがない。また、ビス等の止着具４５を区画側凸部７６に通して区画部材４２を遊技盤本体４１に止着しているので、区画側凸部７６が遊技盤本体４１の表面から不用意に離れる不都合、ひいては区画側凸部７６と遊技盤本体４１との間から補助係合片７３が抜け落ちる不都合がない。また、遊技盤本体４１に区画部材４２と領域区画補助具６６とを同一の止着具４５で止着することができ、止着具の使用数の増加を抑えることができる。なお、補助係合片７３を区画側係合受部７５に係合して領域区画補助具６６を遊技盤６に装着できれば、飾り部６９を遊技盤本体４１の表面に止着しなくてもよい。
【００２８】
次に、盤固定部材３０およびその周辺の構成について説明する。
盤固定部材３０は、図１１に示すように、区画部材４２（詳しくは第２区画部材４４の盤固定受部５６）に係合可能な固定操作部８０と、軸受部２９に回動自在な状態で支持される円柱状の固定軸部８１と、遊技盤装着部２０の裏面（前面枠３の裏面側）に係合する固定ストッパー８２とを備えて一体成形（例えば、合成樹脂等で一体成型）されている。また、固定軸部８１を前面枠本体４の前後方向（表裏方向）に沿って延在させ、該固定軸部８１の前端部には固定操作部８０を遊技盤６の表面に沿って延在する姿勢で接続するとともに、固定軸部８１の後端部には固定ストッパー８２を固定軸部８１よりも大きな直径で形成して接続し、固定軸部８１を当該盤固定部材３０の回動中心に設定して回動できるように構成されている。また、固定操作部８０のうち前面枠本体４の前方を向いた表面には操作ハンドル８０ａを突設し（図１１（ｂ）および図１２参照）、固定ストッパー８２側に向いた裏面を押圧面８０ｂとし（図１１（ａ）参照）、該押圧面８０ｂにより押圧受部５９を遊技盤装着部２０の前方から嵌合受部３１側へ押圧可能としている。詳しくは、固定軸部８１を中心に固定操作方向（図４（ｂ）および図１１（ｂ）中、矢印Ａで示す反時計方向）へ回動して固定操作部８０（押圧面８０ｂ）を固定軸部８１から遊技盤装着部２０の中心側へ向けて横向きに延在する姿勢にすると、押圧面８０ｂが押圧受部５９を押圧する盤固定状態に変換し（図１１（ｂ）参照）、解除操作方向（図４（ｂ）中、矢印Ｂで示す時計方向）へ回動して固定操作部８０（押圧面８０ｂ）を固定軸部８１から上方へ縦向きに延在する姿勢にすると、押圧面８０ｂが押圧受部５９から外れる盤解除状態に変換する（図１２（ａ），（ｂ）参照）。
【００２９】
そして、図１１（ａ）に示すように、該押圧面８０ｂには第１突起部８６および第２突起部８７を固定操作部８０の長手方向に沿って並ぶ状態で突設し、第１突起部８６を第２突起部８７よりも固定軸部８１寄りに位置させている。さらに、固定軸部８１の外周部のうち押圧面８０ｂ側を向いた位置には、遊技盤６の側部（詳しくは第２区画部材４４の当接部５８の側面）に当接可能な側方当接部８８を備え、該側方当接部８８のうち固定操作部８０の回動操作時（状態変換時）に当接部５８に摺動する部分を曲面（詳しくは、固定操作部８０の回動中心からの距離が解除操作方向Ｂに沿って次第に増加する曲面）で形成している。
【００３０】
盤固定部材３０の周辺の構成においては、図４（ａ）に示すように、盤固定部材３０が軸着される軸受部２９の前端部を嵌合受部３１の前端部に揃えて位置させ、軸受部２９（軸孔２９ａ）の上部と嵌合受部３１（嵌合開口３１ａ）の下部との間を軸孔２９ａ（または盤固定部材３０の回動中心となる固定軸部８１の直径）より僅かに狭い連通部９０で連通し、盤固定部材３０の固定軸部８１が連通部９０の縁部を撓ませながら連通部９０を通過できるように構成されている。言い換えると、前面枠本体４のうち嵌合受部３１の側方に設けられた軸受部２９と嵌合受部３１とを連通して盤固定部材３０の固定軸部８１を通過可能としている。また、嵌合受部３１の嵌合開口３１ａを固定操作部８０よりもひと回り大きな広さ且つ固定ストッパー８２よりも小さい広さに設定して、固定操作部８０を盤解除状態の縦向き姿勢で通過可能、且つ固定ストッパー８２を通過不能としている。さらに、盤固定部材３０の押圧面８０ｂと嵌合受部３１の前端部との離間距離（遊技盤６の表裏方向に沿った離間距離）を、押圧受部５９が形成されている盤固定受部５６の厚さ（表裏方向の厚さ）よりも僅かに狭く設定して、盤固定部材３０を盤固定状態に変換すると、固定操作部８０（押圧面８０ｂ）と嵌合受部３１との間で第２区画部材４４を挟持できるように構成されている。
【００３１】
また、押圧受部５９の下縁部には、盤固定状態の固定操作部８０に下方から当接可能な横長短冊状の固定回動規制部９１を備え（図１２参照）、遊技盤装着部２０のうち連通部９０を挟んで嵌合受部３１とは反対側には、盤解除状態の固定操作部８０に側方から当接可能なピン状の解除回動規制部９２を突設している（図４および図１２参照）。そして、固定回動規制部９１に固定操作部８０を当接すると、盤固定部材３０が盤固定状態から固定操作方向Ａに回動することを阻止され、解除回動規制部９２に固定操作部８０を当接すると、盤固定部材３０が盤解除状態から解除操作方向Ｂに回動することを阻止されるように構成されている。さらに、押圧受部５９には、盤固定状態における盤固定部材３０の第１突起部８６が係合可能な第１凹部９６を形成し、該第１凹部９６から遊技盤６の中央側にずれた位置（図１２（ａ）中、左側にずれた位置）には受部側嵌合口９７を盤固定受部５６の表裏方向（遊技盤６の表裏方向）に沿って貫通している。
【００３２】
そして、図４（ａ）に示すように、背面壁部２６のうち受部側嵌合口９７の後方に位置する箇所には、前面枠本体４の前方へ向けて突出する円筒状の固定ボス９８を設け、該固定ボス９８の前端部を受部側嵌合口９７に盤固定受部５６の裏面側から嵌合可能としている。また、固定ボス９８の前端を嵌合受部３１の前端よりも盤固定受部５６の板厚分だけ前方（遊技盤装着部２０の前方）に突出し、固定ボス９８の前端には第２突起部８７が係合可能な第２凹部９９を備え、嵌合受部３１の前端が盤固定受部５６の裏面に当接すると、固定ボス９８の前端部が押圧受部５９と同一平面上に位置するとともに、第２突起部８７が第１突起部８６と横に並んで位置するように設定されている。
【００３３】
次に、上記構成を備えたパチンコ遊技機１の作用、特に、遊技盤装着部２０に盤固定部材３０を取り付ける作業、および、遊技盤装着部２０に遊技盤６を装着する作業について説明する。
遊技盤装着部２０に盤固定部材３０を取り付けるには、まず、遊技盤装着部２０の裏側に盤固定部材３０を固定操作部８０が盤解除状態の縦向き姿勢で嵌合開口３１ａ側に向き、且つ固定軸部８１が遊技盤装着部２０の表裏方向に沿って延在する状態に設定する。盤固定部材３０の姿勢を設定したならば、盤固定部材３０を嵌合開口３１ａへ通し、固定操作部８０を嵌合受部３１の前端から突出させるとともに固定ストッパー８２を背面壁部２６の裏面に当接し、固定軸部８１を嵌合受部３１に貫通させる。そして、固定軸部８１を連通部９０へ通して軸受部２９に嵌め込む。すると、盤固定部材３０が軸受部２９に回動可能な状態で支持され、連通部９０の縁部が軸受部２９の嵌合受部３１側への戻りを阻止する。このようにして盤固定部材３０の前面枠３への取り付け作業を容易に行うことができる。また、固定操作部８０と固定軸部８１と固定ストッパー８２とを一体成形しているので、盤固定部材３０を簡単な構造で構成することができる。
【００３４】
盤固定部材３０が取り付けられた遊技盤装着部２０に遊技盤６を取り付けるには、まず、透明部材保持枠９を大きく開き（図２参照）、盤固定部材３０を盤解除状態に変換しておく。この状態で、遊技領域５を前方に向けた遊技盤６の第１区画部材４３側（図２中、左側）を収容開口部２０ａへ通して盤係合片２８と背面壁部２６との間に差し込んで盤係合受部５４に盤係合片２８を引っ掛ける。遊技盤６に盤係合片２８を引っ掛けたならば、遊技盤６のうち第１区画部材４３側の側面（図２中、左側面）を軸着側壁部２３に押し当てるようにしながら遊技盤６の第２区画部材４４側（図２中、右側）を収容開口部２０ａへ通して遊技盤装着部２０内に押し入れ（図１２（ａ）参照）、盤支持部３４の後側に遊技盤本体４１の下面を載置して遊技盤６の上下方向の位置を位置決めするとともに、盤支持部３４の前側を区画側切欠部６４へ遊嵌する。このとき、領域区画補助具６６は、図７に示すように、互いに離間して配置された２つの盤支持部３４の間に収納される。
【００３５】
盤支持部３４に遊技盤本体４１を載せたならば、遊技盤６を十分に押し込んで嵌合受部３１に嵌合突部５７を嵌合するとともに盤固定受部５６に嵌合受部３１の前端を当接し、さらには、固定ボス９８の前端部を受部側嵌合口９７へ嵌合する（図１２（ｂ）参照）。この状態で盤固定部材３０を固定操作方向Ａに回動して盤固定状態に変換すると、盤固定部材３０が押圧面８０ｂにより押圧受部５９を押圧するとともに、側方当接部８８により当接部５８を押圧して遊技盤６を軸着側壁部２３側へ押し付ける。この結果、嵌合突部５７と嵌合受部３１との嵌合状態が維持されて、遊技盤６が遊技盤装着部２０に固定される。さらに、遊技盤装着部２０は、側方当接部８８と軸着側壁部２３との間に遊技盤６を挟持して遊技盤６の左右方向の位置を位置決めする。また、盤固定部材３０と嵌合受部３１との間に盤固定受部５６を挟持して遊技盤６の前後方向の位置を位置決めする。これにより、遊技盤本体４１を盤固定部材３０と嵌合受部３１との間に介在させずに遊技盤６を遊技盤装着部２０に固定することができる。したがって、遊技盤本体４１の板厚寸法に左右されずに遊技盤６の位置決めを行うことができ、遊技盤６毎に遊技領域５の位置（詳しくは遊技領域５の前後位置）がばらつく不都合を避けることができる。また、盤固定部材３０を盤固定状態に変換すると、図１１（ｂ）に示すように、第１凹部９６に第１突起部８６を係合するとともに第２凹部９９に第１突起部８６を係合して、盤固定部材３０が盤固定状態から盤解除状態へ変換することを規制する。したがって、遊技盤６の固定が不用意に解除されてしまうことを防ぐことができる。
【００３６】
このようにして遊技盤装着部２０に固定された遊技盤６においては、区画部材４２の下縁を遊技盤本体４１よりも下方に延設して、遊技領域５の下端に連続するが遊技盤本体４１による裏打ち（裏側からの補強）のない球流下領域６３を形成したので、遊技盤本体４１の大きさを変えずに遊技領域５を拡大することができる。したがって、遊技領域５を拡大したとしても、遊技盤６が組み付けられる前面枠３の設計を変更する必要がない。さらに、遊技盤６や前面枠３の製作設備を新規に導入する必要もない。また、遊技領域５内に隙間や段差を形成せずに遊技領域５を拡大することができ、遊技領域５を流下する遊技球の動きが隙間や段差に影響されてしまうことがないし、遊技球の流下時間を長くすることもできる。さらに、遊技盤本体４１の表面と領域区画補助具６６の表面との間に跨って区画部材４２を配置しているので、領域区画補助具６６により区画部材４２の下部を裏面側から支持することができ、区画部材４２を安定させることができる。そして、領域区画補助具６６には、アウト口４６の開口縁を装飾する飾り部６９と、アウト口４６に回収された遊技球を遊技盤本体４１の裏面側へ排出する球排出口６８ａと、を備えたので、区画部材４２の配置を補助する部材とアウト口４６の構成要素とを別個に設ける必要がなく、遊技領域５が拡大された遊技盤６の構成の簡素化を図ることができる。また、遊技盤装着部２０においては、盤支持部３４が区画側切欠部６４に遊嵌した状態で遊技盤本体４１の下面を支持するので、区画部材４２の下部で遊技盤６を支持することがなく、遊技盤６の自重で区画部材４２が破損する不都合を避けることができる。それだけではなく、互いに離間して配置された２つの盤支持部３４の間に領域区画補助具６６を収納しているので、盤支持部３４間の空間部を領域区画補助具６６およびアウト口４６の構成要素の収納箇所として利用することができ、限られたパチンコ遊技機１内のスペースを有効に活用することができる。
【００３７】
そして、遊技盤装着部２０内に装着した遊技盤６を取り外す場合には、前記した操作とは逆の手順で行う。すなわち、透明部材保持枠９を開き、盤固定部材３０を解除操作方向Ｂへ回動操作して盤固定状態から盤解除状態へ変換して、固定操作部８０（押圧面８０ｂ）を盤固定受部５６（押圧受部５９）から外す。盤固定部材３０を盤解除状態へ変換したならば、遊技盤６の第２区画部材４４側を先に手前に引き出して嵌合突部５７を嵌合受部３１から前方へ抜き出し、さらに、盤係合片２８から盤係合受部５４を外して遊技盤６を手前に引き出す。このようにして、遊技盤６を容易に取り外すことができる。そして、遊技盤６を遊技盤装着部２０から外した状態では、盤固定部材３０を盤固定状態へ変換して第２突起部８７に第２凹部９９を係合すれば（図４（ｂ）参照）、盤固定状態における盤固定部材３０の回動が規制される。したがって、遊技盤装着部２０から遊技盤６を外した状態で盤固定部材３０が不用意に回動することを避けることができる。
【００３８】
なお、前面枠３へ装着する前に遊技盤６を単体で取り扱う（例えば、床に載置したり、搬送準備として箱に入れて梱包したりする）場面においては、図１３に示すように、区画部材４２のうち遊技盤６の下部から突出した部分（本発明における延設部に相当）を保護するために盤保護カバー１０１（本発明における保護カバーに相当）を装着してもよい。盤保護カバー１０１は、遊技盤６の下部よりもひと回り大きな横長箱状を呈し、当該盤保護カバー１０１の上面を開放して盤挿入口１０２を開設している。また、盤保護カバー１０１の内側底部には、遊技盤本体４１の下面を支持可能なカバー支持部１０３を区画側切欠部６４（本発明における切欠部に相当）に遊嵌可能な状態（遊技盤６の左右方向に沿った横幅寸法が区画側切欠部６４よりも狭い状態）で備え、該カバー支持部１０３の高さ（具体的には盤保護カバー１０１部材の内側底部からカバー支持部１０３の上面までの高さ）ｈ１を、遊技盤本体４１の下面から区画部材４２の下面までの高さｈ２よりも高く設定している。
【００３９】
さらに、盤保護カバー１０１のうちアウト口４６を遊技盤６の表面側から被覆する部分には、縦長な２条のスリットを盤保護カバー１０１の上端から平行状態で形成して、上端部が盤挿入口１０２の外方（アウト口４６から前方へ離れる方向）へ向けて移動可能となるカバー係合操作片１０４を備え、該カバー係合操作片１０４のうち遊技盤６側（盤保護カバー１０１の内側）を向いた内面には、アウト球受部７０の先端に上方から係合可能なカバー係合爪１０５を突設している。
【００４０】
このような構成を備えた盤保護カバー１０１を遊技盤６の下部に装着するには、例えば、盤保護カバー１０１を床等の上に盤挿入口１０２が上方を向いた状態で載置しておき、該盤保護カバー１０１の上方に遊技盤６を領域区画補助具６６および区画側切欠部６４が盤挿入口１０２の直上に位置し、且つアウト球受部７０がカバー係合爪１０５の直上に位置する姿勢に設定する。遊技盤６の姿勢を設定したならば、この遊技盤６を下ろして盤挿入口１０２に遊技盤６の下部を差し入れる。そして、カバー係合操作片１０４を指等で盤挿入口１０２の外方へ撓ませてカバー係合爪１０５をアウト球受部７０の直下から外し、この状態で遊技盤６を十分に下ろす。すると、アウト球受部７０がカバー係合爪１０５よりも下方に移動し、カバー支持部１０３が区画側切欠部６４に遊嵌した状態で遊技盤本体４１を下方から支持し、区画部材４２の下面が盤保護カバー１０１の内側底部に当接することを阻止される。さらに、カバー係合操作片１０４を撓ませていた指等を外してカバー係合操作片１０４を復元力により戻すと、カバー係合爪１０５をアウト球受部７０の傾斜上端へ上方から係合する。このようにして、遊技盤６の下部に盤保護カバー１０１を遊技盤６が持ち上げられても脱落しない状態で装着することができる。そして、盤保護カバー１０１を装着しておけば、遊技盤６を床等に載置した際に区画部材４２の下部が遊技盤６の自重により破損する虞がない。なお、遊技盤６から盤保護カバー１０１を取り外すには、カバー係合操作片１０４を盤保護カバー１０１の外方へ撓ませてカバー係合爪１０５とアウト球受部７０との係合を解除し、この状態で遊技盤６の下部を盤挿入口１０２から引き抜けばよい。
【００４１】
ところで、上記実施形態においては、盤固定部材３０は、嵌合受部３１との間に盤固定受部５６のみ挟持するが、本発明はこれに限定されない。例えば、図１４に示す第２実施形態においては、盤固定部材３０と嵌合受部３１との間に領域区画補助具６６の一部を挟持するように構成されている。具体的に説明すると、第２実施形態における領域区画補助具６６は、図１４（ａ）および（ｂ）に示すように、第２区画部材４４側（図１４（ｂ）中、右側）に位置する補助係合片７３から嵌合突部５７側へ向けて横長なアーム１０８を延設し、該アーム１０８の先端から上方の嵌合突部５７側へ向けて挟持片１０９を立設して盤固定受部５６の裏面に重合させている。そして、挟持片１０９のうち受部側嵌合口９７に重合する箇所には挟持側挿通口１１０を開設して固定ボス９８を挿通可能としている。このような構成の領域区画補助具６６を遊技盤本体４１の下方に備えて、遊技盤装着部２０に遊技盤６を組み付けると、固定ボス９８が挟持側挿通口１１０に挿通されて挟持片１０９が位置決めされる。そして、盤固定部材３０を盤固定状態に変換して遊技盤６を固定すると、盤固定部材３０が嵌合受部３１との間に盤固定受部５６および挟持片１０９を挟持する。したがって、領域区画補助具６６の位置決めおよび固定を一層安定して行うことができる。
【００４２】
ところで、上記各実施形態においては、ファール球がファール球回収路３９に回収されずにパチンコ遊技機１内に散乱してしまうことを阻止する構成を備えていないが、本発明はこれに限定されない。例えば、図１５および図１６に示す第３実施形態においては、ファール球の散乱を阻止する構成を第１区画部材４３に備えている。具体的に説明すると、第３実施形態のパチンコ遊技機１は、図１５に示すように、第１区画部材４３の下部と、回収路形成パネル３８の上部のうち第１区画部材４３の直下に位置する後寄りの箇所（フレームボード部２１寄りの部分）とを離間して、ファール球回収口３９ａと外レール５１の下端（発射通路７の入口７ａを区画する外レール５１の下端）との間に空間部１１５を形成して、前面枠３の一部と遊技盤６の一部との接触、詳しくは回収路形成パネル３８と第１区画部材４３との接触を避けている。また、空間部１１５のうち発射通路７の入口７ａに臨む箇所（図１５（ａ）中、右側）を空間開口１１５ａとし、第１区画部材４３のうち発射通路７の入口７ａの側方（詳しくは外レール５１の下端の近傍）に位置する箇所には、空間開口１１５ａを開閉可能なファール球処理弁１１６を上下方向へ回動自在な状態で軸着している（図１５および図１６（ａ）参照）。
【００４３】
ファール球処理弁１１６は、金属製の短冊板状部材により構成されており、図１６（ｂ）に示すように、短冊板状部材の長手方向の一端部分を円環状に形成して回動軸受１１６ａとし、他端部分を発射通路７の入口７ａ側へ向けて屈曲（または湾曲）して弁本体１１６ｂとし、この弁本体１１６ｂで空間開口１１５ａを開閉可能としている。また、回動軸受１１６ａを第１区画部材４３から前方へ向けて突設された回動軸１１７へ回動自在な状態で嵌合して、弁本体１１６ｂを回動軸１１７よりも発射通路７の入口７ａ寄り（図１５（ａ）中、右寄り）の位置で上下方向へ移動（回動）するように構成されている。具体的には、弁本体１１６ｂを上方へ回動すると、ファール球処理弁１１６が第１弁状態に変換して空間開口１１５ａを開放し、空間部１１５から上方へ外れた弁本体１１６ｂを外レール５１の下端側から発射通路７の入口７ａ内へ横向き姿勢で延出する。一方、弁本体１１６ｂを下方へ回動すると、ファール球処理弁１１６が第２弁状態に変換して弁本体１１６ｂを発射通路７の入口７ａから下方へ外すとともに、外レール５１の下端側から遊技盤６の下縁部よりも下方の空間部１１５側へ向けて縦向き姿勢で延出して空間開口１１５ａを閉成する。
【００４４】
また、第１区画部材４３のうち回動軸１１７よりも外レール５１から側方（図１５（ａ）中、左側方）へ離れた位置には回動ストッパー１１８を設け、ファール球処理弁１１６が第２弁状態に変換すると、回動ストッパー１１８が弁本体１１６ｂの付け根（回動軸受１１６ａと弁本体１１６ｂとの境界部分）に当接してファール球処理弁１１６を第２弁状態で維持し、弁本体１１６ｂが空間開口１１５ａよりも球払出口３５側（図１５（ｂ）中、左側）へ回動すること、言い換えると空間部１１５内に進入することを阻止可能としている。さらに、区画部材４２のうち回動軸１１７よりも発射通路７の入口７ａ寄り（図５（ａ）中、右寄り）の位置には弁係合部１１９を設け、ファール球処理弁１１６が第１弁状態に変換すると、弁係合部１１９が弁本体１１６ｂの表面（詳しくは発射通路７の入口７ａに臨ませた表面）に係合して、ファール球処理弁１１６が第１弁状態よりも上方へ回動することを阻止可能としている。
【００４５】
このようなファール球処理弁１１６を備えた遊技盤６を前面枠３へ装着する前に単体で取り扱う（例えば、床に載置したり、搬送準備として箱に入れて梱包したりする）場面において、遊技盤６を縦向きで持ち上げた状態では、ファール球処理弁１１６が自重により下方へ回動して第２弁状態となり、弁本体１１６ｂを回動ストッパー１１８へ当接した状態で遊技盤６の下縁部よりも下方へ延出する。また、この状態で遊技盤６を縦向きで床や梱包箱の底などの載置面上へ載置すると、弁本体１１６ｂの先端（下端）が載置面に下方から押圧されて上方へ回動し、ファール球処理弁１１６が第１弁状態に変換する。このとき、弁本体１１６ｂを発射通路７の入口７ａ側へ向けて屈曲（または湾曲）しているので、載置面から弁本体１１６ｂの先端に受けた押圧力が回動軸１１７へ向かう方向から発射通路７側へ外れて作用し、回動軸１１７を中心としてファール球処理弁１１６を回動する回動力、具体的には発射通路７側へ向けて回動する回動力へ変換する。したがって、ファール球処理弁１１６を容易に変換すること、言い換えると、ファール球処理弁１１６を遊技盤６の内側へ容易に収容することができる。これにより、遊技盤６を単体で取り扱うときにファール球処理弁１１６を損傷し難くすることができる。
【００４６】
また、ファール球処理弁１１６を備えたパチンコ遊技機１において遊技を実行し、遊技球を発射装置１５から弱い発射勢で発射した場合には、この遊技球が発射通路７の上端まで到達せずに発射通路７を逆流（落下）してファール球となる。そして、回収路形成パネル３８の上部へ直接落下したり、あるいは、図１５（ｂ）に示すように、ファール球の次に発射装置１５から発射された後続の遊技球に弾かれたりして、ファール球が空間部１１５へ侵入しようとすることがある。しかしながら、ファール球処理弁１１６が空間開口１１５ａを閉成しているので、ファール球処理弁１１６がファール球の空間部１１５への侵入を阻止し、さらには、弁本体１１６ｂに沿ってファール球を下方へ流下させてファール球回収口３９ａへ案内する。したがって、前面枠３と遊技盤６との間に空間部１１５が形成されていたとしても、ファール球がこの空間部１１５に入り込んでしまう不都合、ひいてはファール球回収口３９ａへ回収されずにパチンコ遊技機１内（詳しくは前面枠本体４と透明部材保持枠９との間）に散乱してしまう不都合を阻止することができる。また、回動ストッパー１１８により第２弁状態のファール球処理弁１１６を支持することができ、ファール球がファール球処理弁１１６を押し退けて空間部１１５へ侵入してしまう不都合を阻止することができる。
【００４７】
ところで、上記各実施形態では、固定操作部８０を嵌合受部３１の嵌合開口３１ａへ通して盤固定部材３０を軸受部２９へ軸着するように構成したが、本発明はこれに限定されない。例えば、固定操作部８０を嵌合開口３１ａよりもひと回り大きい形状に設定して嵌合開口３１ａを通過不能とし、固定ストッパー８２を盤固定状態とは異なる姿勢、且つ盤解除状態とは異なる姿勢で嵌合開口３１ａを通過可能となる長尺形状に設定してもよい。言い換えると、嵌合受部３１は、固定ストッパー８２が盤固定状態とは異なる姿勢、盤解除状態とは異なる姿勢で通過可能な形状に形成されていてもよい。そして、遊技盤装着部２０に盤固定部材３０を取り付けるには、固定ストッパー８２を嵌合受部３１の前方から嵌合開口３１ａへ通して背面壁部２６の裏面から突出させるとともに、固定操作部８０を嵌合受部３１の前端に係合し、嵌合受部３１に貫通させた固定軸部８１を連通部９０へ通して軸受部２９に嵌め込んでもよい。このような構成の盤固定部材３０においても、前面枠３への取り付け作業を容易に行うことができる。
【００４８】
また、上記各実施形態においては、盤固定部材３０を遊技盤装着部２０のうち透明部材保持枠９の開放側に位置する部分に備えたが、本発明はこれに限定されない。要は、遊技盤装着部２０内に装着された遊技盤６を固定可能であれば、盤固定部材をどの位置に備えてもよい。例えば、盤固定部材を遊技盤装着部２０の上下両側に備え、区画部材４２の上下両端部の表面に盤固定部材を係合して遊技盤６を固定してもよい。そして、上記各実施形態では、遊技盤６を前面枠３に前方から装着したが、本発明はこれに限定されない。要は、遊技盤を前面枠に組み付けて使用するのであれば、前面枠にどの方向から遊技盤を装着してもよい。例えば、前面枠３に後方から遊技盤を装着する構成を採用してもよい。また、遊技盤６（遊技盤本体４１）は正面から見て矩形状を呈するが、本発明はこれに限定されない。要は、遊技盤本体の表面に区画部材を止着して遊技領域を区画形成すれば、どのような形状の遊技盤（遊技盤本体）であってもよい。
【００４９】
さらに、上記各実施形態においては、遊技盤本体４１を従来のサイズのままに設定する一方、区画部材４２を従来よりも縦長にして球流下領域６３を形成するが、本発明はこれに限定されない。例えば、区画部材４２を従来のサイズのままにする一方、遊技盤本体４１の上下方向の長さを従来よりも短くして球流下領域６３を形成してもよい。遊技盤本体４１のサイズを小さくすれば、遊技盤本体４１の材料、具体的には合板の使用量を少なく抑えることができ、資源の保護を図ることができる。また、遊技盤本体４１の周辺にスペースを確保することができ、パチンコ遊技機１内の限られた空間の有効活用を図ることができる。
【００５０】
また、上記実施形態では、代表的な遊技機であるパチンコ遊技機を例にして説明したが、本発明はこれに限らず、遊技盤本体と、該遊技盤本体の表面に遊技領域を区画形成する区画部材と、を備えた遊技盤を前面枠に組み付けて使用する遊技機であればどのような遊技機でもよい。例えば、封入球式パチンコ機、アレンジボール式遊技機、雀球式遊技機等の遊技機であってもよい。
【００５１】
なお、前記した実施の形態は全ての点で例示であって制限的なものではないと考えられるべきである。本発明は、上記した説明に限らず特許請求の範囲によって示され、特許請求の範囲と均等の意味及び範囲内での全ての変更が含まれるものである。
【符号の説明】
【００５２】
１  パチンコ遊技機
３  前面枠
４  前面枠本体
５  遊技領域
６  遊技盤
７  発射通路
９  透明部材保持枠
１１  上皿
１４  下皿
１５  発射装置
２０  遊技盤装着部
２０ａ  収容開口部
２８  盤係合片
２９  軸受部
３０  盤固定部材
３１  嵌合受部
３１ａ  嵌合開口
３４  盤支持部
３８  回収路形成パネル
３９  ファール球回収路
４１  遊技盤本体
４２  区画部材
４３  第１区画部材
４４  第２区画部材
４６  アウト口
５０  内レール
５１  外レール
５４  盤係合受部
５５  盤本体切欠部
５６  盤固定受部
５７  嵌合突部
５８  当接部
５９  押圧受部
６３  球流下領域
６４  区画側切欠部
６６  領域区画補助具
６８  球排出樋
６８ａ  球排出口
６９  飾り部
７０  アウト球受部
７３  補助係合片
７５  区画側係合受部
８０  固定操作部
８０ａ  操作ハンドル
８０ｂ  押圧面
８１  固定軸部
８２  固定ストッパー
８６  第１突起部
８７  第２突起部
９０  連通部
９６  第１凹部
９９  第２凹部
【図１】
0005395776.tif 000002
【図２】
0005395776.tif 000003
【図３】
0005395776.tif 000004
【図４】
0005395776.tif 000005
【図５】
0005395776.tif 000006
【図６】
0005395776.tif 000007
【図７】
0005395776.tif 000008
【図８】
0005395776.tif 000009
【図９】
0005395776.tif 000010
【図１０】
0005395776.tif 000011
【図１１】
0005395776.tif 000012
【図１２】
0005395776.tif 000013
【図１３】
0005395776.tif 000014
【図１４】
0005395776.tif 000015
【図１５】
0005395776.tif 000016
【図１６】
0005395776.tif 000017